(57)【要約】【課題】作業員に負担をかけることなく、作業員の安全性の向上を図ること。【解決手段】一定間隔を空けて対向配置された一対の口金１１１を備え、導電性材料を用いて形成された接地端子本体１１０と、導電性材料を用いて形成され、一対の口金１１１の一方の口金１１１ａに支持されて、他方の口金１１１ｂに対して接離可能な固定具１２０と、アース線１３０に電気的に接続され、固定具１２０の接離方向に平行な磁界を発するように接地端子本体に巻回された巻き線１３１と、を備えた接地端子装置１００を構成した。これにより、誘導電流が流れている場合は、巻き線１３１に誘導電流が流れることによって生じる磁界によって固定具１２０が磁化されて電磁石となるので、接地端子装置１００を電磁ロック機構として機能させることができる。【選択図】図４
2019047634.tif 000002
【特許請求の範囲】
【請求項１】
一定間隔を空けて対向配置された一対の口金を備え、導電性材料を用いて形成された接地端子本体と、
導電性材料を用いて形成され、前記一対の口金の一方の口金に支持されて、他方の口金に対して接離可能に設けられた固定具と、
アース線に電気的に接続され、前記固定具の接離方向に平行な磁界を発するように前記接地端子本体に巻回された巻き線と、
を備えたことを特徴とする接地端子装置。
【請求項２】
一定間隔を空けて対向配置された一対の口金を備え、導電性材料を用いて形成された接地端子本体と、
導電性材料を用いて形成され、前記一対の口金の一方の口金に支持されて、他方の口金に対して接離可能に設けられた固定具と、
前記固定具の接離方向に交差する方向に沿ってスライド可能であって、スライドすることにより、前記固定具と分離可能に係合するロックピンと、
アース線に電気的に接続され、前記ロックピンのスライド方向に平行な磁界を発するように前記接地端子本体に巻回された巻き線と、
を備えたことを特徴とする接地端子装置。
【請求項３】
請求項１または２に記載の接地端子装置と、
絶縁材料によって形成される操作棒と、
前記操作棒の先端に設けられた取付金具と、
前記取付金具と前記接地端子装置とを電気的に接続するアース線と、
を備えたことを特徴とするアースフック。
【発明の詳細な説明】
【技術分野】
【０００１】
この発明は、作業用接地に用いる接地端子装置およびアースフックに関する。
【背景技術】
【０００２】
点検や補修などの目的のために、鉄塔の上部に架線されている送電線路を停電させる場合には、安全確保のため送電線をアースする必要がある。点検域に該当する特定の電路を停電させた場合にも、隣接活線による誘導電流が流れるため、安全確保のためには、停電中であっても点検域に該当する電路は必ずアースしておく必要がある。
【０００３】
関連する技術として、具体的には、従来、たとえば、アース線を介してアースフックと接続される接地端子本体が備える一対の腕部のうちの一方の腕部に、他方の腕部に対して進退可能な押圧部を設け、他方の腕部における押圧部との対向部分に係合穴を設けるとともに、押圧部に当該係合穴に係合される係合突起を設けた接地端子装置に関する技術があった（たとえば、下記特許文献１を参照。）。
【先行技術文献】
【特許文献】
【０００４】
【特許文献１】特開２０１１−６６９５２号公報
【発明の概要】
【発明が解決しようとする課題】
【０００５】
しかしながら、上述した従来の技術は、作業員がぶつかるなど、作業時の予期せぬ衝撃に起因する接地端子装置の脱落を防ぐことはできるものの、作業員の誤認に起因して、誤って接地端子装置を取り外そうとした場合など、作業員自身の判断誤りに起因する接地端子装置の取り外しは回避することができないという問題があった。そして、誘導電流が生じている状況下で誤って接地端子装置を取り外してしまった場合、誘導感電災害などの大事故に陥るリスクがあるという問題があった。
【０００６】
この発明は、上述した従来技術による問題点を解消するため、作業員に負担をかけることなく、作業員の安全性の向上を図ることができる接地端子装置およびアースフックを提供することを目的とする。
【課題を解決するための手段】
【０００７】
上述した課題を解決し、目的を達成するため、この発明にかかる接地端子装置は、一定間隔を空けて対向配置された一対の口金を備え、導電性材料を用いて形成された接地端子本体と、導電性材料を用いて形成され、前記一対の口金の一方の口金に支持されて、他方の口金に対して接離可能に設けられた固定具と、アース線に電気的に接続され、前記固定具の接離方向に平行な磁界を発するように前記接地端子本体に巻回された巻き線と、を備えたことを特徴とする。
【０００８】
また、この発明にかかる接地端子装置は、一定間隔を空けて対向配置された一対の口金を備え、導電性材料を用いて形成された接地端子本体と、導電性材料を用いて形成され、前記一対の口金の一方の口金に支持されて、他方の口金に対して接離可能に設けられた固定具と、前記固定具の接離方向に交差する方向に沿ってスライド可能であって、スライドすることにより、前記固定具と分離可能に係合するロックピンと、アース線に電気的に接続され、前記ロックピンのスライド方向に平行な磁界を発するように前記接地端子本体に巻回された巻き線と、を備えたことを特徴とする。
【０００９】
また、この発明にかかるアースフックは、上記の発明にかかる接地端子装置と、絶縁材料によって形成される操作棒と、前記操作棒の先端に設けられた取付金具と、前記取付金具と前記接地端子装置とを電気的に接続するアース線と、を備えたことを特徴とする。
【発明の効果】
【００１０】
この発明にかかる接地端子装置およびアースフックによれば、作業員に負担をかけることなく、作業員の安全性の向上を図ることができるという効果を奏する。
【図面の簡単な説明】
【００１１】
【図１】この発明にかかる実施の形態１の接地端子装置の構成を示す説明図である。
【図２】図１に示す接地端子装置の断面を示す説明図である。
【図３】この発明にかかる実施の形態１の接地端子装置を備えるアースフックの構成を示す説明図である。
【図４】固定具を、第１の位置に位置づけた状態を示す説明図である。
【図５】この発明にかかる実施の形態２の接地端子装置の構成を示す説明図（その１）である。
【図６】この発明にかかる実施の形態２の接地端子装置の構成を示す説明図（その２）である。
【図７】この発明にかかる実施の形態２の接地端子装置の構成を示す説明図（その３）である。
【発明を実施するための形態】
【００１２】
以下に添付図面を参照して、この発明にかかる接地端子装置およびアースフックの好適な実施の形態を詳細に説明する。
【００１３】
＜実施の形態１＞
（接地端子装置の構成）
まず、この発明にかかる実施の形態１の接地端子装置の構成について説明する。図１は、この発明にかかる実施の形態１の接地端子装置の構成を示す説明図である。図２は、図１に示す接地端子装置の断面を示す説明図である。図１および図２において、この発明にかかる実施の形態１の接地端子装置１００は、接地端子本体１１０を備えている。
【００１４】
接地端子本体１１０は、一定間隔を空けて対向配置された一対の口金１１１（１１１ａ、１１１ｂ）を備えている。一対の口金１１１は、連結部材１１２によって連結されている。一対の口金１１１および連結部材１１２は、一体に成形されており、略「コ」の字形状をなしている。接地端子本体１１０は、導電性材料を用いて形成されている。接地端子本体１１０において、連結部材１１２には、アース線１３０の一端が設けられている。
【００１５】
接地端子本体１１０において、一方の口金１１１ａには、固定具１２０が設けられている。固定具１２０は、鉄やケイ素鉄などの軟磁性材料を用いて形成されている。固定具１２０は、ネジ軸部１２１とハンドル１２２とを備えている。ネジ軸部１２１は、一対の口金１１１の対向方向を軸心方向とする略円柱形状をなす。ネジ軸部１２１の外表面には、ネジ軸部１２１の軸心方向に沿って螺旋形状をなすネジ山が設けられている。
【００１６】
固定具１２０は、ネジ軸部１２１の外表面に設けられたネジ山を、一方の口金１１１ａに設けられたネジ孔（符号を省略する）に螺合させることによって、一方の口金１１１ａに支持されている。一方の口金１１１ａに設けられたネジ孔は、一対の口金１１１の対向方向に沿って、一方の口金１１１ａを貫通している。
【００１７】
ネジ軸部１２１は、一方の口金１１１ａに設けられたネジ孔に螺合されることにより、一方の口金１１１ａを貫通した状態で当該一方の口金１１１ａに支持されている。固定具１２０は、ネジ穴に対するネジ軸部１２１の螺合状態を調整することによって、他方の口金１１１ｂとの間において対象物を挟持する第１の位置と、当該第１の位置以外の位置とに変位可能に設けられている。
【００１８】
ハンドル１２２は、固定具１２０において、ネジ軸部１２１における接触子１２３が設けられている側の端部とは反対側に設けられている。ハンドル１２２は、一方の口金１１１ａを間にして、他方の口金１１１ｂとは反対側に設けられている。ハンドル１２２は、棒形状をなし、ネジ軸部１２１の外周面から、当該ネジ軸部１２１の軸心方向に交差する方向に突出している。ハンドル１２２は、ネジ軸部１２１の軸心から相反する２方向に突出している。
【００１９】
ハンドル１２２は、ネジ軸部１２１の外周面からの突出長さが、一般的な成人の掌における人差し指から小指までの長さと同等あるいはそれ以上であることが好ましい。これにより、作業者は、ハンドル１２２を確実に把持する（握る）ことができ、対象物に対する接地端子装置１００の取り付けや取り外しを確実におこなうことができる。
【００２０】
ネジ軸部１２１において、他方の口金１１１ｂ側の端部には、接触子１２３が設けられている。接触子１２３は、一方の口金１１１ａに対する固定具１２０の位置に応じて位置が変化し、固定具１２０が第１の位置に位置づけられている場合に対象物に接触する。
【００２１】
具体的に、接触子１２３は、ネジ穴に対するネジ軸部１２１の螺合状態を調整することによって位置が変化する固定具１２０と一体に動く。接地端子装置１００は、固定具１２０の端部に設けられた接触子１２３と他方の口金１１１ｂとの間に対象物を挟持することによって当該対象物に固定される。
【００２２】
対象物は、たとえば、鉄塔の構築部材などのように、導電性を有する材料によって形成されている。送電用の鉄塔は、基礎部分が地中に埋設されている。このため、鉄塔は大地に接地された状態とされている。対象物は、一部が大地に埋設されることによって接地機能を果たしているものであればよく、鉄塔に限定されるものではない。
【００２３】
接地端子装置１００は、あらかじめ接地抵抗を低減する処理あるいは加工が施されている対象物に固定されることが好ましい。接地抵抗を低減する処理あるいは加工は、具体的には、たとえば、鉄塔の構築部材の表面に設けられた塗装を除去して当該構築部材を露出させることによって実現することができる。あるいは、接地抵抗を低減する処理あるいは加工は、具体的には、たとえば、導電性を有する防錆剤などの塗料を塗布することによって実現されるものであってもよい。
【００２４】
接地端子装置１００は、巻き線１３１を備えている。巻き線１３１は、導電性を示す材料を用いて形成されている。具体的に、巻き線１３１は、たとえば、銅線を用いて形成することができる。接触子１２３の接離方向に平行な磁界を発するように、接地端子本体１１０に巻回されている。具体的に、巻き線１３１は、連結部材１１２に巻き付けられており、一対の口金１１１の対向方向と平行な方向を軸心方向とする螺旋形状をなす。巻き線１３１は、アース線１３０に電気的に接続されている。
【００２５】
（アースフックの構成）
つぎに、この発明にかかる実施の形態１の接地端子装置１００を備えるアースフックの構成について説明する。図３は、この発明にかかる実施の形態１の接地端子装置１００を備えるアースフックの構成を示す説明図である。
【００２６】
図３において、アースフック３００は、取付金具としての頭部金物３０１を備えている。頭部金物３０１は、頭部金物本体部３０２とフック３０３とを備えている。フック３０３は、支持軸３０４を介して頭部金物本体部３０２に連結されている。フック３０３は、頭部金物本体部３０２に対して支持軸３０４を中心として回動可能に連結されている。頭部金物本体部３０２およびフック３０３は、金属などの導電材料を用いて形成されており、電気的に接続されている。
【００２７】
頭部金物３０１には、操作棒３０５が連結されている。操作棒３０５は、所定の長さのパイプ状部材によって構成され、頭部金物３０１の取り付けに際して作業者によって把持される。操作棒３０５は、たとえば、エポキシ樹脂を用いて形成された樹脂パイプなどのように、電気絶縁性を有する材料を用いて形成されている。
【００２８】
頭部金物３０１には、アース線１３０の一端が接続されている。頭部金物３０１とアース線１３０とは電気的に接続されている。アース線１３０の頭部金物３０１とは反対側の一端は、接地端子装置１００に電気的に接続されている。アース線１３０は、導電性の材料を用いて形成されており、このため頭部金物３０１と接地端子装置１００とは電気的に接続されている。
【００２９】
送電線やその周囲の電気設備に対する作業をおこなう場合は、作業対象とする送電線を停電しておこなうが、作業対象とする送電線を停電しても、近傍の充電電路による誘導電流が生じている場合は作業者が感電するおそれがあるため、アースフック３００を用いた作業用接地をおこなう。
【００３０】
（アースフック３００の取り付け手順）
つぎに、この発明にかかる実施の形態１の接地端子装置１００を用いたアースフック３００の取り付け手順について説明する。アースフック３００の取り付けは、作業用接地に際しておこなう。
【００３１】
アースフック３００の取り付けに際しては、まず、工事の対象となる電路を停電させた状態で、接地端子装置１００を対象物に取り付ける。具体的に、接地端子装置１００の取り付けに際しては、まず、固定具１２０を操作して、接触子１２３を他方の口金１１１ｂから離間させる。
【００３２】
接触子１２３は、鉄塔の構築部材などの対象物における、接地端子装置１００の取付位置の寸法に応じて、接触子１２３と他方の口金１１１ｂとの間の距離が当該取付位置の寸法よりも大きくなるまで他方の口金１１１ｂから離間させる。これにより、接触子１２３と他方の口金１１１ｂとの間に、対象物を挟み込むことができるようになる。
【００３３】
そして、一方の口金１１１ａから離間させた接触子１２３と他方の口金１１１ｂとの間に、鉄塔の構築部材などの対象物を位置づけた状態で、接触子１２３を他方の口金１１１ｂに近づけるように固定具１２０を操作する。固定具１２０は、接触子１２３と他方の口金１１１ｂとの間において対象物を挟持する第１の位置に位置づけられるまで操作する。
【００３４】
図４は、固定具１２０を、第１の位置に位置づけた状態を示す説明図である。図４に示すように、固定具１２０を第１の位置に位置づけることにより、接触子１２３と他方の口金１１１ｂとの間に対象物４０１を挟み込むことができる。これにより、接地端子装置１００を、対象物４０１に確実に固定することができる。
【００３５】
つぎに、アース線１３０により接地端子装置１００と接続されている頭部金物３０１を、該当する線路におけるアークホーン（図示を省略する）に接続する。頭部金物３０１は、作業者が操作棒３０５を把持して、フック３０３をアークホーンに引っ掛けることによってアークホーンに接続することができる。
【００３６】
これにより、頭部金物３０１、アース線１３０、接地端子装置１００を介して鉄塔などの対象物４０１とアークホーン（該当線路）とが電気的に接続される。そして、これによって、該当線路に誘起する誘導電流を大地側に逃がすことができ、作業対象箇所を除電することができる。
【００３７】
（アースフック３００の取り外し手順）
つぎに、この発明にかかる実施の形態１の接地端子装置１００を用いたアースフック３００の取り外し手順について説明する。アースフック３００の取り外しに際しては、まず、工事の対象となる電路を停電させた状態のまま、固定具１２０を操作して、接触子１２３を他方の口金１１１ｂから離間させる。
【００３８】
固定具１２０は、接触子１２３が第１の位置以外の位置、すなわち、接触子１２３と他方の口金１１１ｂとの間の距離が当該取付位置の寸法よりも大きくなるまで他方の口金１１１ｂから離間する位置に位置づけられるまで操作する。これにより、接地端子装置１００を、対象物４０１から取り外すことができる。その後、頭部金物３０１を、アークホーンから取り外す。このような手順により、対象物４０１から、アースフック３００を取り外すことができる。
【００３９】
アースフック３００の取り外しは、現場の目視などによって作業が完了したことを判断してからおこなう。しかしながら、従来の接地端子装置を用いたアースフックは、誘導電流が生じている場合であっても、接地端子装置を取り外すことが可能な構成であった。このため、従来の接地端子装置を用いたアースフック作業が完了していないにもかかわらず作業が完了したものと誤認して、誘導電流が生じている状況下で接地端子装置を取り外してしまうおそれがあった。
【００４０】
これに対し、接地端子装置１００を用いたアースフック３００によれば、誘導電流が生じている場合は、巻き線１３１に誘導電流が流れることによって生じる磁界によって固定具１２０が磁化されて電磁石となる。このため、誘導電流が流れている場合は、固定具１２０に対して、固定具１２０を鉄塔などの対象物４０１にくっつかせる方向への磁力を作用させることができる。これにより、接地端子装置１００を電磁ロック機構として機能させることができる。
【００４１】
これによって、誘導電流が流れている場合に誤って接地端子装置１００を取り外そうとしても、磁力に抗して接地端子装置１００を対象物４０１から引き離さなければならないため、簡単には外れにくくすることができる。そして、これによって、誘導電流が流れている場合に、誤って、接地端子装置１００が対象物４０１から取り外されることを防止できる。
【００４２】
また、作業中に、作業者が接地端子装置１００にぶつかるなどして接地端子装置１００に衝撃が加えられた場合にも、誘導電流が流れている状況では、磁力によって鉄塔などの対象物４０１に接触子１２３がくっついているため、簡単には外れにくくすることができる。
【００４３】
以上説明したように、この発明にかかる実施の形態１の接地端子装置１００は、一定間隔を空けて対向配置された一対の口金１１１を備え、導電性材料を用いて形成された接地端子本体１１０と、導電性材料を用いて形成され、一対の口金１１１の一方の口金１１１ａに支持されて、他方の口金１１１ｂに対して接離可能な固定具１２０と、アース線１３０に電気的に接続され、固定具１２０の接離方向に平行な磁界を発するように接地端子本体に巻回された巻き線１３１と、を備えたことを特徴としている。
【００４４】
この発明にかかる実施の形態１の接地端子装置１００によれば、誘導電流が流れている場合は、巻き線１３１に誘導電流が流れることによって生じる磁界によって固定具１２０が磁化されて電磁石となる。このため、誘導電流が流れている場合は、固定具１２０は磁力によって鉄塔などの対象物４０１にくっつくので、接地端子装置１００を電磁ロック機構として機能させることができる。
【００４５】
これにより、誘導電流が流れている状況においては、勘違いや見落としあるいは作業の進捗状況の伝達ミスなどのいわゆるヒューマンエラーに起因して、作業員が作業手順を誤って接地端子装置１００を外そうとしても、接地端子装置１００が鉄塔などの対象物４０１から簡単に外れないようにすることができる。そして、これによって、ヒューマンエラーに起因する誘導感電災害などの大事故に陥るリスクを低減することができ、作業員に負担をかけることなく、作業員の安全性の向上を図ることができる。
【００４６】
また、この発明にかかる実施の形態１の接地端子装置１００によれば、従来の接地端子装置と同様の手順で取り付けても、誘導電流が流れている状況においては、接地端子装置１００が電磁ロック機構として機能する。このため、作業員がぶつかるなど、作業時の予期せぬ衝撃に起因して、接地端子装置１００が不用意に脱落することを防ぐことができる。これによっても、作業員に負担をかけることなく、作業員の安全性の向上を図ることができる。
【００４７】
また、この発明にかかる実施の形態１の接地端子装置１００によれば、接地端子装置１００の取り付けにかかる作業の項目や順番を変えることなく、ヒューマンエラーを有効に防止することができる。これにより、作業員の作業負担を増やしたり作業効率を低下させたりすることなく、すなわち、作業員に負担をかけることなく、作業員の安全性の向上を図ることができる。
【００４８】
さらに、この発明にかかる実施の形態１の接地端子装置１００によれば、対象物４０１に対して、接地端子装置１００を取り付けるための加工を施すことなく、接地端子装置１００を電磁ロック機構として機能させることができる。これによって、対象物４０１の態様にとらわれることなく幅広い対象物４０１に取り付けることができ、汎用性の高い接地端子装置１００を提供することができる。
【００４９】
また、この発明にかかる実施の形態１のアースフック３００は、接地端子装置１００と、絶縁材料によって形成される操作棒３０５と、操作棒３０５の先端に設けられた取付金具としての頭部金物３０１と、頭部金物３０１と接地端子装置１００とを電気的に接続するアース線１３０と、を備えたことを特徴としている。
【００５０】
この発明にかかる実施の形態１のアースフック３００によれば、アースフック３００の取り外しに際して、まず最初に取り外す接地端子装置１００を電磁ロック機構として機能させることにより、誘導電流が流れている状況において、ヒューマンエラーに起因して、接地端子装置を誤って対象物４０１から外してしまうことを確実に防止することができる。これにより、作業員に負担をかけることなく、作業員の安全性の向上を図ることができる。
【００５１】
＜実施の形態２＞
（接地端子装置の構成）
つぎに、この発明にかかる実施の形態２の接地端子装置の構成について説明する。実施の形態２においては、上述した実施の形態１と同一部分は同一符号で示し、説明を省略する。
【００５２】
図５〜図７は、この発明にかかる実施の形態２の接地端子装置の構成を示す説明図である。図５〜図７において、この発明にかかる実施の形態２の接地端子装置５００は、ロックピン５０１を備えている。ロックピン５０１は、接触子１２３の接離方向、すなわち、ネジ軸部１２１の軸心方向に交差する方向に沿ってスライド可能に設けられている。具体的に、ロックピン５０１は、接地端子本体１１０における連結部材１１２内に埋没する埋没位置（図５を参照）と、連結部材１１２内から一対の口金１１１の間に突出する突出位置（図６を参照）と、の間においてスライド可能に設けられている。
【００５３】
接地端子装置５００は、ロックピン５０１を、埋没位置に位置づけるように付勢する付勢部材５０２を備えている。付勢部材５０２は、たとえば、一端が連結部材１１２に固定され、他端がロックピン５０１に固定された引っ張りバネなどを用いて実現することができる。
【００５４】
実施の形態２の接地端子装置５００における巻き線１３１は、ロックピン５０１のスライド方向に平行な磁界を発するように、接地端子本体１１０における連結部材１１２に巻回されている。巻き線１３１は、アース線１３０に電気的に接続されている。
【００５５】
実施の形態２の接地端子装置５００における固定具１２０には、接触子１２３から、ネジ軸部１２１の軸心方向と平行な方向に突出する係合用突起５０３が設けられている。係合用突起５０３は、ロックピン５０１が突出位置に位置づけられている場合に、当該ロックピン５０１と分離可能に係合する。
【００５６】
実施の形態２の接地端子装置５００は、上述した実施の形態１の接地端子装置１００と同様の手順、すなわち、従来の接地端子装置と同様の手順により、対象物４０１に取り付けることができる。また、実施の形態２の接地端子装置５００は、上述した実施の形態１の接地端子装置１００と同様の手順、すなわち、従来の接地端子装置と同様の手順により、対象物４０１から取り外すことができる。
【００５７】
接地端子装置５００を用いたアースフック３００によれば、誘導電流が生じている場合は、巻き線１３１に誘導電流が流れることによって生じる磁界によって、ロックピン５０１が、付勢部材５０２による付勢力に抗して、埋没位置から突出位置へスライドする。ロックピン５０１は、プッシュ型ソレノイドにおけるプランジャのように動作する。
【００５８】
これにより、誘導電流が生じている場合に固定具１２０を回転させようとしても、ロックピン５０１と係合用突起５０３とが係合（干渉）して、固定具１２０を回転させることができなくなる。また、固定具１２０を回転させはじめるときにロックピン５０１と係合用突起５０３とが係合（干渉）していなくても、接触子１２３が１回転する間にロックピン５０１と係合用突起５０３とが係合（干渉）するため、接地端子装置５００を対象物４０１から取り外せるほどには固定具１２０を回転させることはできない。
【００５９】
これにより、誘導電流が流れている場合に誤って接地端子装置５００を対象物４０１から取り外そうとしても、簡単には外れにくくすることができる。そして、これによって、誘導電流が流れている場合に、誤って、接地端子装置５００が対象物４０１から取り外されることを防止できる。
【００６０】
以上説明したように、この発明にかかる実施の形態２の接地端子装置５００は、一定間隔を空けて対向配置された一対の口金１１１を備え、導電性材料を用いて形成された接地端子本体１１０と、導電性材料を用いて形成され、一対の口金１１１の一方の口金１１１ａに支持されて、他方の口金１１１ｂに対して接離可能に設けられた固定具１２０と、固定具１２０の接離方向に交差する方向に沿ってスライド可能であって、スライドすることにより、固定具１２０と分離可能に係合するロックピン５０１と、アース線１３０に電気的に接続され、ロックピン５０１のスライド方向に平行な磁界を発するように接地端子本体に巻回された巻き線１３１と、を備えたことを特徴としている。
【００６１】
この発明にかかる実施の形態２の接地端子装置５００によれば、誘導電流が流れている場合は、ロックピン５０１が固定具１２０と係合する位置に突出する。このため、誘導電流が流れている場合は、固定具１２０の回転を規制することができ、接地端子装置５００を電磁ロック機構として機能させることができる。
【００６２】
これにより、誘導電流が流れている状況においては、ヒューマンエラーに起因して、作業員が作業手順を誤って接地端子装置５００を外そうとしても、接地端子装置５００が鉄塔などの対象物４０１から簡単に外れないようにすることができる。そして、これによって、ヒューマンエラーに起因する誘導感電災害などの大事故に陥るリスクを低減することができ、作業員に負担をかけることなく、作業員の安全性の向上を図ることができる。
【００６３】
また、この発明にかかる実施の形態２の接地端子装置５００によれば、接地端子装置５００の取り付けにかかる作業の項目や順番を変えることなく、ヒューマンエラーを有効に防止することができる。これにより、作業員に負担をかけることなく、作業員の安全性の向上を図ることができる。
【００６４】
また、この発明にかかる実施の形態２のアースフック３００は、接地端子装置５００と、絶縁材料によって形成される操作棒３０５と、操作棒３０５の先端に設けられた取付金具としての頭部金物３０１と、頭部金物３０１と接地端子装置５００とを電気的に接続するアース線１３０と、を備えたことを特徴としている。
【００６５】
この発明にかかる実施の形態２のアースフック３００によれば、アースフック３００の取り外しに際して、まず最初に取り外す接地端子装置５００を電磁ロック機構として機能させることにより、誘導電流が流れている状況において、ヒューマンエラーに起因して、接地端子装置５００を誤って対象物４０１から外してしまうことを確実に防止することができる。これにより、作業員に負担をかけることなく、作業員の安全性の向上を図ることができる。
【産業上の利用可能性】
【００６６】
以上のように、この発明にかかる接地端子装置およびアースフックは、接地に用いる接地端子装置およびアースフックに有用であり、特に、電線路における誘導電流を大地に逃がす作業用接地に用いる接地端子装置およびアースフックに適している。
【符号の説明】
【００６７】
１００  接地端子装置
１１０  接地端子本体
１１１  一対の口金
１１１ａ  一方の口金
１１１ｂ  他方の口金
１２０  固定具
１３０  アース線
１３１  巻き線
３００  アースフック
３０１  頭部金物
３０２  頭部金物本体部
３０３  フック
３０５  操作棒
５００  接地端子装置
５０１  ロックピン
５０２  付勢部材
【図１】
2019047634.tif 000003
【図２】
2019047634.tif 000004
【図３】
2019047634.tif 000005
【図４】
2019047634.tif 000006
【図５】
2019047634.tif 000007
【図６】
2019047634.tif 000008
【図７】
2019047634.tif 000009